(57)【特許請求の範囲】
【請求項１】
天井に設置されている既設器具の周囲を囲む筒状部材を固定するとともに、天井周囲の壁面に膜天井廻り縁を固定し、この膜天井廻り縁に周縁を係止させながら前記筒状部材を覆う膜天井シートを天井に沿って敷設し、この膜天井シートの下面に、前記筒状部材との間で膜天井シートを挟持するように表側枠部材を固定し、その後、この表側枠部材の内周縁に沿って膜天井シートを切り取り前記既設器具を露出させることを特徴とする天井改修方法。
【請求項２】
天井に設置されている照明器具用の既設引掛けローゼットの周囲を囲む筒状部材を固定するとともに、天井周囲の壁面に膜天井廻り縁を固定し、この膜天井廻り縁に周縁を係止させながら前記筒状部材を覆う膜天井シートを天井に沿って敷設し、その後、前記筒状部材の内側で膜天井シートを切り取って既設引掛けローゼットを露出させ、この既設引掛けローゼットに角型引掛けシーリングを取り付け、該角型引掛けシーリングに接続した新規引掛けローゼットを前記筒状部材との間に膜天井シートを挟持するように前記筒状部材に固定することを特徴とする天井改修方法。
【請求項３】
天井に設置されている既設器具の周囲を囲む筒状部材が固定されるとともに、天井周囲の壁面に膜天井廻り縁が固定され、この膜天井廻り縁に周縁を係止させて膜天井シートが前記筒状部材を覆うように前記天井に沿って敷設され、この膜天井シートを前記筒状部材との間に挟持する表側枠部材が膜天井シートの下面に固定され、この表側枠部材の内周縁に沿って膜天井シートが切り取られ前記既設器具が露出されていることを特徴とする膜天井構造。
【請求項４】
天井に設置されている既設引掛けローゼットの周囲を囲む筒状部材が固定されるとともに、天井周囲の壁面に膜天井廻り縁が固定され、この膜天井廻り縁に周縁を係止させて膜天井シートが前記筒状部材を覆うように前記天井に沿って敷設され、この膜天井シートを介して前記筒状部材との間に挟持するように新規引掛けローゼットが固定され、該新規引掛けローゼットに接続状態の角型引掛けシーリングが前記筒状部材の内側で切り取られた膜天井シートの穴を経由して前記既設引掛けローゼットに装着されていることを特徴とする膜天井構造。
【発明の詳細な説明】
【技術分野】
【０００１】
本発明は、膜天井シートを用いて建築物における天井を改修する方法および膜天井構造に関する。
【背景技術】
【０００２】
従来、住宅などの天井や壁の建築資材には、保温性、耐火性の効果が高いといった理由からアスベスト（石綿）が多く使用されていた。しかしながら、周知のとおり、アスベストは、非常に微細な繊維形状をなしており、とくにアスベストが室内空間に露出している部分が剥がれ落ちると空気中にアスベストが飛散し、それを人が吸引したときに人体に与える影響が大きく社会的問題となっている。このような背景から、近年では、アスベストが使用されている建築物の改装（リフォーム）が行われている。
【０００３】
その改装方法として、アスベスト部分を除去する方法が一般的に多く実施されている。
この方法の場合、解体作業が発生するため、住人の引越しが必要になるうえ、解体範囲をフィルム材等で密封状態に取り囲み、さらにその中で解体作業を行う作業員は防塵マスク等を使用した大掛かりな装備が必要であった。
これに対し、アスベストを除去せずに残置した状態で改装する方法として、アスベストを囲い込む方法や封じ込める方法がある（例えば、特許文献１、２参照）。
【０００４】
特許文献１は、吹き付けによってアスベスト層に飛散防止処理剤をコーティング処理し、アスベスト層の所定箇所にボルトを貫通させて基盤に固定させたアスベスト層の封じ込め方法である。
特許文献２は、既存の天井面に沿って新たに膜天井シートを敷設する方法である。膜天井シートは、天井面の周囲に沿って配置されている既設の木廻り縁に垂直材および水平材からなる断面略Ｌ字形の膜天井廻り縁をステープルで固定し、膜天井シートの周縁に設けられた断面Ｕ字形の係止部材を膜天井廻り縁の水平材の先端に形成された断面鉤形の係止部に引掛けることで既存の天井面に沿って敷設される。
【特許文献１】特許第２６１２９０８号公報
【特許文献２】特開２００４−１９７４４８号公報
【発明の開示】
【発明が解決しようとする課題】
【０００５】
しかしながら、特許文献１は、コーティング処理した吹き付け面が室内空間に面しており、この吹き付け面が劣化により亀裂が入ったり剥がれ落ちるなどすると、コーティング処理した裏面のアスベスト層が露出してアスベスト片が室内空間に飛散するという問題があった。
特許文献２は、天井を膜天井シートで覆ってしまうので、アスベスト層を露出させず封じ込むことができるが、天井に照明器具等が設置されている場合、これを露出した状態で膜天井シートを敷設する必要があり、その場合に隙間ができるとアスベスト片が室内空間に飛散するおそれがある。
【０００６】
本発明は、上述する問題点に鑑みてなされたもので、天井に膜天井シートを敷設する際に既設の照明器具等の再利用を可能とし、かつアスベスト等の飛散を確実に防止して、天井の封じ込めとしての信頼性を向上させた天井改修方法および膜天井構造を提供することを目的とする。
【課題を解決するための手段】
【０００７】
上記目的を達成するため、本発明に係る膜天井シートを用いた天井改修方法は、天井に設置されている既設器具の周囲を囲む筒状部材を固定するとともに、天井周囲の壁面に膜天井廻り縁を固定し、この膜天井廻り縁に周縁を係止させながら前記筒状部材を覆う膜天井シートを天井に沿って敷設し、この膜天井シートの下面に、前記筒状部材との間で膜天井シートを挟持するように表側枠部材を固定し、その後、この表側枠部材の内周縁に沿って膜天井シートを切り取り前記既設器具を露出させることを特徴とする。
【０００８】
本発明では、既設器具の周囲を筒状部材で囲って、その筒状部材によって既設器具の付近を他の天井表面から区画した状態とした上で、この既設器具の設置箇所のみを残して、他の部分を膜天井シートにより覆った状態にしているので、例えばアスベストが天井に使用される場合においてアスベスト片が飛散することを防止できるとともに、既設器具の再利用を可能にすることができる。
【０００９】
また、天井に吊下げ型の照明器具が設置されている場合は以下の方法で改修することが行われる。すなわち、天井に設置されている照明器具用の既設引掛けローゼットの周囲を囲む筒状部材を固定するとともに、天井周囲の壁面に膜天井廻り縁を固定し、この膜天井廻り縁に周縁を係止させながら前記筒状部材を覆う膜天井シートを天井に沿って敷設し、その後、前記筒状部材の内側で膜天井シートを切り取って既設引掛けローゼットを露出させ、この既設引掛けローゼットに角型引掛けシーリングを取り付け、該角型引掛けシーリングに接続した新規引掛けローゼットを前記筒状部材との間に膜天井シートを挟持するように前記筒状部材に固定するのである。
【００１０】
この場合も、筒状部材によって既設引掛けローゼットを囲った状態として、膜天井シートを敷設しているので、既設引掛けローゼットを他の部分から区画した状態で他の部分を膜天井シートにより覆った状態とすることができる。また、角型引掛けシーリングを介して新規引掛けローゼットを接続しているとともに、その裏側が筒状部材によって支持されるので、新しくできた膜天井面の引掛けローゼットにより、照明器具を取り付け使用することができる。
【００１１】
本発明の膜天井構造は、天井に設置されている既設器具の周囲を囲む筒状部材が固定されるとともに、天井周囲の壁面に膜天井廻り縁が固定され、この膜天井廻り縁に周縁を係止させて膜天井シートが前記筒状部材を覆うように前記天井に沿って敷設され、この膜天井シートを前記筒状部材との間に挟持する表側枠部材が膜天井シートの下面に固定され、この表側枠部材の内周縁に沿って膜天井シートが切り取られ前記既設器具が露出されていることを特徴とする。
【００１２】
また、天井に吊下げ型の照明器具が設置されている場合は、天井に設置されている既設引掛けローゼットの周囲を囲む筒状部材が固定されるとともに、天井周囲の壁面に膜天井廻り縁が固定され、この膜天井廻り縁に周縁を係止させて膜天井シートが前記筒状部材を覆うように前記天井に沿って敷設され、この膜天井シートを介して前記筒状部材との間に挟持するように新規引掛けローゼットが固定され、該新規引掛けローゼットに接続状態の角型引掛けシーリングが前記筒状部材の内側で切り取られた膜天井シートの穴を経由して前記既設引掛けローゼットに装着されていることを特徴とする。
【００１３】
いずれの構造においても、既設器具や既設引掛けローゼットの部分を区画した状態で膜天井シートによって天井が覆われ、例えばアスベストが天井に使用される場合においてアスベスト片が飛散することを確実に防止できる。
【発明の効果】
【００１４】
本発明の膜天井シートを用いた天井改修方法および膜天井構造によれば、天井表面を膜天井シートにより覆った状態であるので、例えばアスベストが天井に使用される場合においてアスベスト片が飛散することを防止できる。この場合、天井に既設の器具や引掛けローゼットがある場合、筒状部材によって既設器具や引掛けローゼットを囲って区画した状態で他の部分を膜天井シートで覆った状態とするため、アスベスト片の飛散を確実に防止して、アスベストの封じ込め（囲い込み）における信頼性を向上させることができる。
【発明を実施するための最良の形態】
【００１５】
以下、本発明の膜天井シートを用いた天井改修方法および膜天井構造の実施の形態について、図面に基づいて説明する。
図１は本実施の形態による膜天井の設置状態を示す図であり、この図１に示すように、この膜天井１は、住宅などの建築物の室内においてアスベストが使用された天井２を改装（リフォーム）する際に、天井２に沿うようにして敷設したものである。室内の四方の各壁面３の上端部には、天井２の周縁部全周にわたって既設の木廻り縁４が取り付けられており、膜天井１は、この木廻り縁４を利用して天井２の全面を覆うように膜天井シート６を敷設した構成とされている。
ここで、アスベストが使用された天井２は、例えば従来多く使用されていたアスベストを含んだ天井材料や吹付け材仕上げの材料による天井を対象とする。
【００１６】
膜天井シート６は、木廻り縁４の高さ方向の下部に重ねるように固定された膜天井廻り縁１１によって固定されている。この膜天井廻り縁１１は、図２に示すように、垂直材１１Ａおよび水平材１１Ｂを一体に成形してなる断面略Ｌ字形をなしており、その垂直材１１Ａの背面が木廻り縁４にシーリング材１２を介して固定されている。
このシーリング材１２としては、例えば弾性樹脂（ブチルゴムを含む）の両面に接着剤（粘着剤）を塗付加工してなる両面テープなどを使用することが好ましい。そして、この膜天井廻り縁１１の垂直材１１Ａは、この垂直材１１Ａからシーリング材１２、木廻り縁４を貫通させてビス１３が壁面３に打ち込まれて固定されている。
また、膜天井廻り縁１１の水平材１１Ｂの先端部には、上方に延びさらに垂直材１１Ａに向けて折り返すように屈曲した断面略鉤形の係止部１３が長さ方向に沿って形成されており、この係止部１３によって長さ方向に沿う溝部１４が形成される。
【００１７】
膜天井シート６は、例えば塩化ビニル樹脂製の材質（例えば、リフォジュールシート（登録商標）、フクビ化学工業株式会社製）で弾力性を有するシート材１５が使用され、その周縁に断面略Ｕ字形の係止部材１６が全周に連続して設けられている。この係止部材１６は、図２に示すように、そのＵ字形の両側壁部１６Ａ・１６Ｂの間に溝部１７が形成され、一方の側壁部１６Ａにシート材１５が固着された構成とされている。そして、他方の側壁部１６Ｂを膜天井廻り縁１１の溝部１４に入れるようにして、この係止部材１６の溝部１７を膜天井廻り縁１１の係止部１３に引掛けることによって、膜天井シート６は天井２に沿って敷設されている。
なお、膜天井シート６の表面は、室内天井として好みのデザインのシートを使用することができる。
【００１８】
また、天井２の四隅には、図３に示すように、互いに略直角に接合される二辺をなす膜天井廻り縁１１、１１に、一端２１ａを一方の膜天井廻り縁１１にビス２２で固定させ、他端２１ｂを他方の膜天井廻り縁１１にビス２２で固定させた補強斜材２１が斜めに設けられており、膜天井シート６は、この補強部材２１の下方に敷設されている。この補強斜材２１は、敷設時に張力が付与されることにより常に収縮しようとする膜天井シート６によって、木廻り縁４および膜天井廻り縁５が引っ張られて木廻り縁４が壁面３から外れたり、膜天井廻り縁５を固定するビス１３が木廻り縁４から抜けたりすることを防ぐものである。
【００１９】
このような膜天井構造において、天井２に既に設けられている直付け型の照明器具３１の付近では、図４から図６に示すように、該照明器具３１の周囲を囲む筒状部材３２が固定されるとともに、この筒状部材３２との間で膜天井シート６を挟持するように表側枠部材３３が固定され、この表側枠部材３３の内周縁に沿って膜天井シート６が切り取られて既設照明器具３１が外部に露出した状態とされている。
【００２０】
前記筒状部材３２は、アルミニウム合金等の押出し成形によって形成された辺部材３４を長辺及び短辺の一対ずつ角型に組み合わせて構成されている。そのうち長辺側の各辺部材３４は、図７に示すように、天井２の表面に沿わせられる平板部３５と、この平板部３５の一辺から立ち上がる垂直壁部３６と、この垂直壁部３６の先端から平板部３５に平行に配置されるつば部３７と、このつば部３７とは反対方向に前記垂直壁部３６の先端から延びて既設照明器具３１を押さえる押さえ片３８とが一体に形成された構造である。一方、短辺側の辺部材（図示略）は、平板部３５、垂直壁部３６、つば部３７から構成され、押さえ片３８を有しない構造となっている。そして、両辺部材とも、平板部３５、垂直壁部３６、つば部３７によって断面コ字状をなしており、つば部３７の先端部には厚肉部３９が辺部材３４の長さ方向に沿って形成されている。また、前記押さえ片３８は、垂直壁３６に一体に形成されているが、その根元付近の一部が辺部材３４の長さ方向に沿って薄肉部４０に形成され、その部分で屈曲変形し得るように構成されている。
【００２１】
そして、この筒状部材３２は、既設照明器具３１の周囲で平板部３５を天井２の表面に当接した状態として、照明器具３１の山形の反射板４１に押さえ片３８を当接させ、該押さえ片３８を貫通させるようにしてビス４２が反射板４１にねじ込まれることによって、既設照明器具３１の周囲に固定され、この固定状態で全体として角筒状に構成されている。
【００２２】
一方、表側枠部材３３は、前記筒状部材３２のつば部３７表面に膜天井シート６を挟持するように固定されている。この表側枠部材３３も、アルミニウム合金等の押出し成形によって形成され、ほぼ平板状に形成されるが、一側辺部が長さ方向に沿う厚肉部４３に形成され、この厚肉部４３によって屈曲形状の断面に形成されている。そして、その厚肉部４３を筒状部材３２のつば部３７における厚肉部３９に沿わせるようにして膜天井シート６を挟持しており、この表側枠部材３３を貫通するビス４４によってつば部に固定されている。
これら筒状部材３２及び表側枠部材３３が取り付けられた部分では、膜天井シート６は、表側枠部材３３の内周縁に沿って切り取られており、既設の照明器具３１が筒状部材３２の内側に露出した状態とされている。
【００２３】
一方、天井２に吊下げ型の照明器具が取り付けられている部分では、図９に示すように、既設の引掛けローゼット５１を囲むローゼット用筒状部材５２が天井２に固定されるとともに、このローゼット用筒状部材５２に新規の引掛けローゼット５３が固定され、この新規引掛けローゼット５３に接続した角型引掛けシーリング５４が既設引掛けローゼット５１に装着されることにより、電気的な接続状態とされている。
【００２４】
ローゼット用筒状部材５２は、既設の引掛けローゼット５１の取付金具５５にビス５６により固定される角型の平板部５７の中央に円形の穴５８が形成され、この穴５８と同心に円筒状の環状壁５９が一体に連結された構成とされている。
そして、この筒状部材５２の穴５８内に既設の引掛けローゼット５１が露出され、この引掛けローゼット５１に環状壁５９の内部で角型引掛けシーリング５４が装着され、この角型引掛けシーリング５４にコード６０を介して接続状態の新規引掛けローゼット５３が前記ローゼット用筒状部材５２に固定されている。
【００２５】
なお、平板部５７と環状壁５９とは、環状壁５９の内側で複数本のビス６１により連結状態とされるとともに、これらビス６１から周方向にずれた位置で環状壁５９の内周部にビス６２が設けられ、そのビス６２により、新規引掛けローゼット５３の取付金具６３が固定される構成とされている。
また、環状壁５９と天井膜シート６との間には平板状の補強リング６４が装着され、接着剤により天井膜シート６に固着される。
【００２６】
次に、このような構成をなす膜天井１の施工方法について説明する。
まず、天井２に設置されている既設の照明器具３１に対して、図８に示すように前記筒状部材３２を固定するとともに、既設引掛けローゼット５１に図１０に示すようにローゼット用筒状部材５２を固定する。
一方、天井の周囲の木廻り縁４の上にシーリング材１２を介して膜天井廻り縁１１を重ね合わせ、水平方向に所定間隔（例えば１２０ｍｍピッチ）ごとにビス１３を膜天井廻り縁１１の上から打ち込ませて木廻り縁４に膜天井廻り縁１１を固定する。
また、天井２の四隅にでは、膜天井廻り縁１１の上から図３に示す補強部材２１を接合する。
【００２７】
次いで、図２に示すように、膜天井シート５の周縁に設けた係止部材１６を、例えばコテ状の治具（図示省略）を使用して係止部材１６の溝部１７に差し込みながら膜天井廻り縁１１の係止部１３にはめ込んで係止させる。これにより、膜天井廻り縁１１の内側に膜天井シート６が敷設され、既設照明器具３１及びその周囲の筒状部材３２、既設引掛けローゼット５１及びローゼット用筒状部材５２は、膜天井シート６に覆われた状態となっている。
【００２８】
なお、通常の膜天井シート６は、天井２への敷設面積に対して略８割の面積比率に加工されたものを、設置する際に引き伸ばすようにテンションをかけながら膜天井廻り縁１１に固定されるのであるが、この膜天井シート６を敷設する際には、床面に温風器（図示略）を設置して天井２に向けて温風を吹き付けておき、その温風によって膜天井シート６を加温して、伸び易いようにすることが行われる。
【００２９】
このようにして膜天井シート６を敷設すると、膜天井シート６と天井２との間には、室内空間Ｒと遮断された密封空間Ｔが形成されて天井２が囲い込まれた状態となる。
前記筒状部材３２を固定した部分においては、図８の鎖線に示すように膜天井シート６が既設照明器具３１によって裏側から突き出されて引っ張られた状態となっており、この膜天井シート６を筒状部材３２よりも若干小さい面積に切り取り、照明器具３１の中央部が露出する程度の穴を開けることにより、この照明器具３１を覆っている部分の膜天井シート６の張りを緩めて、筒状部材３２から離間していた膜天井シート６を筒状部材３２に接近させる。そして、筒状部材３２のつば部３７に膜天井シート６を挟持するように表側枠部材３３を固定する。この表側枠部材３３を固定することにより、その厚肉部４３によって膜天井シート６が屈曲状態に挟持されることになって張力が作用した状態となる。このようにして表側枠部材３３によって照明器具３１を囲った後、表側枠部材３３の内周縁に沿ってカッター等で膜天井シート６を切断すると、既設の照明器具３１の回りを筒状部材３２が囲った状態となる。
【００３０】
また、既設引掛けローゼット５１の設置部分では、環状壁５９の内側で膜天井シート６を切り取って図１１に示すように穴６５を開ける。そして、その穴６５の内周縁に沿わせて膜天井シート６と環状壁５９との間に補強リング６４を介在させる。次いで、新設引掛けローゼット５３にコード６０を介して角型引掛けシーリング５４を接続した状態としておき、膜天井シート６の穴６５から既設引掛けローゼット５１に角型引掛けシーリング５４を装着し、コード６０を環状壁５９の内部空間に丸め込みながら、環状壁５９の内側のビス６２に新設引掛けローゼット５３の取付金具６３を取り付け固定する。
【００３１】
上述した本実施の形態による膜天井シート６を用いた天井改修方法および膜天井構造は、既設照明器具３１の設置箇所付近においては、既設照明器具３１の周囲を筒状部材３２で囲って、その筒状部材３２の上に膜天井シート６を被せて表側枠部材３３との間で挟持しているので、既設照明器具３１は、その回りを囲む筒状部材３２によって他の天井表面から区画した状態とされ、この既設照明器具３１の設置箇所のみを残して、他の部分を膜天井シート６により覆った状態にしているから、天井からのアスベスト片の飛散を防止しつつ既設照明器具３１の再利用を可能にすることができる。
【００３２】
また、既設引掛けローゼット５１の設置箇所付近においても、該既設引掛けローゼット５１の周囲をローゼット用筒状部材５２によって囲った状態として、そのローゼット用筒状部材５２の環状壁５９の上に膜天井シート６を被せて新規引掛けローゼット５３との間で挟持しているので、既設引掛けローゼット５１の設置箇所を他の天井表面から区画した状態として、他の部分を膜天井シート６により覆った状態とし、アスベスト片の飛散防止と既設引掛けローゼット５１の再利用を同時に可能にしている。
もちろん、他の天井表面は、膜天井シート６によって覆われているから、安全性を向上させることができ、アスベストの封じ込め（囲い込み）における信頼性を向上させることができる。
【００３３】
以上、本発明による膜天井シートを用いた天井改修方法および膜天井構造の実施の形態について説明したが、本発明は上記の実施の形態に限定されるものではなく、その趣旨を逸脱しない範囲で適宜変更可能である。
また、本実施の形態ではアスベストが使用された天井２を対象としているが、アスベストを含まない吹き付け天井やコンクリートが露出した天井などで剥がれ落ちを防止するための改装に適用してもかまわない。
【００３４】
さらに、本実施の形態では膜天井廻り縁１１をビス１３によって木廻り縁４に取り付けたものであるが、膜天井廻り縁１１の固定方法はこれに限定されることはなく、テンションをかけて敷設した膜天井シートの引張力によって木廻り縁４や膜天井廻り縁１１が外れないようにしておけばよいのであって、例えば各壁面３同士の膜天井廻り縁１１に突っ張り用の補強材を設けておくようにしてもよい。
木廻り縁４が設けられていない場合に適用することもでき、その場合は膜天井廻り縁１１を壁面３に直接固定すればよい。
さらにまた、膜天井廻り縁１１の係止部１３と膜天井シート６の係止部材１６との係止構造も、両者が係止状態となる他の構造を採用してもよい。
【図面の簡単な説明】
【００３５】
【図１】本発明の実施の形態による膜天井の設置状態を示す縦断面図である。
【図２】図１における膜天井回り縁部分の膜天井シートの取付け構造を示す拡大拡大図である。
【図３】膜天井回り縁の四隅に設けられる補強部材の取り付け構造を示す平面図である。
【図４】既設照明器具の設置箇所付近の縦断面図である。
【図５】図４のＡ−Ａ線に沿う矢視図である。
【図６】図４のＢ−Ｂ線に沿う矢視図である。
【図７】図４における筒状部材付近の拡大断面図である。
【図８】図７に示す部分において膜天井シートを敷設する前の状態を示す断面図である。
【図９】既設引掛けローゼットの設置箇所付近の縦断面図である。
【図１０】図９に示す箇所の膜天井シートを敷設する前の状態を示す縦断面図である。
【図１１】図１０に示す状態から膜天井シートに穴を開けた状態を示す縦断面図である。
【符号の説明】
【００３６】
１…膜天井  ２…天井  ３…壁面  ４…木廻り縁  ６…膜天井シート  １１…膜天井廻り縁  １２…シーリング材  １３…係止部  １４…溝  １５…シート材  １６…係止部材  １７…溝  ２１…補強部材  ３１…既設照明器具（既設部品）  ３２…筒状部材  ３３…表側枠状部材  ３５…平板部  ３６…垂直壁部  ３７…つば部  ３８…押さえ片  ５１…既設引掛けローゼット  ５２…ローゼット用筒状部材（筒状部材）  ５３…新規引掛けローゼット  ５４…角型引掛けシーリング  ５７…平板部  ５９…環状壁  ６０…コード  Ｒ…室内空間  Ｔ…密封空間
【図１】
0004727508.tif 000002
【図２】
0004727508.tif 000003
【図３】
0004727508.tif 000004
【図４】
0004727508.tif 000005
【図５】
0004727508.tif 000006
【図６】
0004727508.tif 000007
【図７】
0004727508.tif 000008
【図８】
0004727508.tif 000009
【図９】
0004727508.tif 000010
【図１０】
0004727508.tif 000011
【図１１】
0004727508.tif 000012